(57)【特許請求の範囲】
【請求項１】
（ａ）２５℃における屈折率が１．２〜１．４５の水不溶性重合体〔以下、（ａ）成分という〕５〜２５００ｐｐｍと水とを含有する媒体に、衣料を浴比１／２〜１／５００で浸漬させる色柄物衣料の色彩回復方法であって、
（ａ）成分が、フロロアルキル基、フロロアルキレン基もしくはフロロアリール基を含む有機基を有する変性シリコーン（以下、フッ素変性シリコーンという）、及びアミノ基を含む有機基を有する変性シリコーン（以下、アミノ変性シリコーンという）から選ばれる、２５℃における屈折率が１．２〜１．４５の水不溶性重合体である、
色彩回復方法。
【請求項２】
前記媒体が、（ｂ）界面活性剤〔以下、（ｂ）成分という〕１〜５００ｐｐｍを含有する請求項１記載の色彩回復方法。
【請求項３】
（ｂ）成分が、（ｂ１）アルキレンオキシド平均付加モル数２〜１００のポリオキシアルキレンアルキル（炭素数８〜２０）又はアルケニル（炭素数８〜２０）エーテル、及び（ｂ２）分子中に４級アンモニウム基及び３級アミノ基の少なくとも１つと、炭素数８〜３６の炭化水素基の少なくとも１つとを有する界面活性剤から選ばれる界面活性剤である請求項２記載の色彩回復方法。
【請求項４】
前記媒体が、（ａ）成分と（ｂ）成分とを、（ａ）成分／（ｂ）成分＝１／２〜１００／１の重量比で含有する請求項２又は３記載の色彩回復方法。
【請求項５】
前記媒体が、（ｂ１）成分と（ｂ２）成分とを含有し、（ｂ１）成分／（ｂ２）成分の重量比が１／１０〜１０／１である、請求項３又は４記載の色彩回復方法。
【請求項６】
フッ素変性シリコーンが、２５℃での粘度が１０〜１０万ｍｍ２／ｓの水不溶性フッ素変性シリコーンである、請求項１〜５の何れか１項記載の色彩回復方法。
【請求項７】
アミノ変性シリコーンが、アミノ当量１５００〜１００００ｇ／ｍｏｌ、且つ２５℃での粘度が１０〜１０万ｍｍ２／ｓの水不溶性アミノ変性シリコーンである、請求項１〜６の何れか１項記載の色彩回復方法。
【発明の詳細な説明】
【０００１】
【発明の属する技術分野】
本発明は褪色した色柄物衣料の色彩を回復させる方法に関する。
【０００２】
【従来の技術及び発明が解決しようとする課題】
色柄物衣料は、洗濯／着用を繰り返すうちに水道水中の塩素や太陽光の影響で色褪せが進行する。これを回復する方法として本出願人らは特開平３−１８０５７８号公報にエアゾール繊維濃色化剤を開示している。このような組成物はスプレーすることにより、衣類が机や椅子などの硬質表面と擦れによって生じたテカリをなくし濃色化することを可能とするものである。
【０００３】
また、特開昭５３−１１１１９２号公報、特開昭５５−２６２３２号公報には、染色した布帛に対して低屈折率化合物を吸着させ熱処理や湿熱処理等を行うことにより、工業的に布帛を深色化させる方法が開示されている。
【０００４】
一方特開平１０−９６１７２号公報にはシリコーンを繊維に吸着させる方法が開示されている。また、特表平５−５０８８８９号公報にはアミノ変性シリコーンを含有した布帛柔軟剤組成物が開示されている。しかしながらこれらは布のすべり性や撥水性を付与することが目的であり、衣料の色彩を改善するものではない。
【０００５】
また、特開昭６２−１７４２９８号公報には、褪色した衣料の色彩を回復させるためにセルラーゼを含有する水溶液で処理することが記載されているが、その効果は十分でない。
【０００６】
本発明の目的は、洗濯の繰り返し等により褪色した衣料の色彩を一般家庭で容易に回復しうる方法を提供することにある。
【０００７】
【課題を解決するための手段】
本発明は、２５℃における屈折率が１．２〜１．４５の水不溶性重合体（以下、（ａ）成分という）５〜２５００ｐｐｍ（重量基準、以下同様）と水とを含有する媒体（以下、水性媒体という）に、衣料を浴比１／２〜１／５００で浸漬させる色柄物衣料の色彩回復方法を提供するものである。ここで、「浴比」とは、該水性媒体に対する衣料の重量比、すなわち、浴比＝衣料／水性媒体（重量比）である。また、ここでいう「屈折率」はアッペ屈折計を用いて測定されるものであり、「水不溶性」とは２０℃のイオン交換水１Ｌに溶解する量が１ｇ以下であることをいう。
【０００８】
【発明の実施の形態】
本発明の（ａ）成分は２５℃における屈折率が１．２０〜１．４５、好ましくは１．２５〜１．４５、特に好ましくは１．３０〜１．４３の水不溶性重合体である。屈折率がこの範囲であると十分な色彩回復効果が得られ、また色彩も適正となる。なお、水に溶解する重合体では、本発明の水不溶性の重合体のような満足できる色彩回復効果を得ることができない。
【０００９】
上記性質を満足する重合体としては、含フッ素系重合体及びシリコーン化合物が好ましい。含フッ素系重合体は、トリフルオロエチルアクリレート（又はメタクリレート）、ペンタデカフルオロオクチルアクリレート（又はメタクリレート）、テトラフルオロエチレン、トリフルオロクロロエチレン、トリフルオロエチルアクリレート（又はメタクリレート）、ヘキサフルオロプロピレン、テトラフルオロエチレンオキシド、ヘキサフルオロプロピレンオキシドから選ばれる単量体の１種以上を重合又は共重合させたものか、又は後述するフロロアルキル基、フロロアルキレン基もしくはフロロアリール基を含む有機基を有する変性シリコーン（以下フッ素変性シリコーンとする）が好ましい。これらは、ポリスチレンを標準とし、ジメチルホルムアミドを展開溶媒とした時のゲル浸透型液体クロマトグラフィーによって求められる重量平均分子量が１０００〜１００００００、好ましくは１５００〜５０００００のものが色彩回復効果の点から良好である。
【００１０】
上記フッ素系重合体は、単量体がエチレン性不飽和化合物の場合は通常のラジカル重合反応で、またアルキレンオキシド化合物の場合は通常の付加反応で、それぞれ得ることができる。ラジカル重合反応方法としては、塊重合、溶液重合あるいは乳化重合などを用いることができる。また、重合開始剤としては２、２’−アゾビス（２−アミジノプロパン）、アゾビスイソブリロニトリル、ジ−ｔ−ブチルパーオキシド、過酸化水素、ｔ−ブチルハイドロパーオキサイド、クメンハイドロパーオキサイド、メチルエチルケトンパーオキサイド、シクロヘキサノンパーオキサイド、過酢酸、過安息香酸、過酸化ラウロイル、過硫酸塩を使用することができる。
【００１１】
アルキレンオキシド化合物の付加反応では通常用いられる水酸化ナトリウムや水酸化カリウム等のアルカリや３弗化ホウ素などのルイス酸を触媒として容易に反応を行うことができる。
【００１２】
本発明では上記含フッ素単量体以外の共重合可能な単量体を含む共重合体であっても差し支えないが、含フッ素単量体／全単量体がモル比で０．５以上、好ましくは０．６以上であることが色彩回復効果の点で好ましい。
【００１３】
フッ素変性シリコーンを用いる場合には２５℃における粘度が１０〜２０万ｍｍ2／ｓ、好ましくは５０〜１０万ｍｍ2／ｓ、特に好ましくは５百〜８万ｍｍ2／ｓのものが色彩回復効果の点で好ましい。粘度は、例えばウベローデＵ字型粘度計により測定することができる。
【００１４】
本発明では（ａ）成分としてシリコーン化合物を用いることもできる。シリコーン化合物は、前記特定の屈折率範囲と溶解性の性質を有するオルガノポリシロキサンオイルであり、具体的には、ジメチルポリシロキサンオイル（以下、ジメチルシリコーンとする）又はジメチルシリコーンオイルの側鎖もしくは末端のメチル基の一部がヒドロキシ基になっているオルガノポリシロキサンオイル（以下、ヒドロキシシリコーンとする）の他に、前記ジメチルシリコーン又はヒドロキシシリコーンのメチル基（好ましくは側鎖のメチル基）の一部が“メチル基以外の有機基”になっているオルガノポリシロキサンオイル（以下、変性シリコーンとする）が挙げられる。変性シリコーンはシリコーンハンドブック（伊藤邦雄編集、日刊工業新聞社発行、１９９０年８月３１日、初版１刷）の第６章を中心に例示されている。メチル基以外の有機基としては、アミノ基を含む有機基、アミド基を含む有機基、ポリエーテル基を含む有機基、エポキシ基を含む有機基、カルボキシ基を含む有機基、アルキル基を含む有機基又はハロゲノアルキル基、ハロゲノアルキレン基もしくはハロゲノアリール基を含む有機基の他に、ポリ（Ｎ−アシルアルキレンイミン）鎖を含む有機基が挙げられる。本発明では、好ましくはアミノ基を含む有機基を有する変性シリコーン（以下アミノ変性シリコーン）、ポリ（Ｎ−アシルアルキレンイミン）鎖を含む有機基を有する変性シリコーン又はハロゲノアルキル基、ハロゲノアルキレン基もしくはハロゲノアリール基を含む有機基を有する変性シリコーン（ハロゲノ変性シリコーン）であり、より好ましくはアミノ当量が１５００〜４００００ｇ／ｍｏｌ、さらには２５００〜２００００ｇ／ｍｏｌ、特には３０００〜１００００ｇ／ｍｏｌのアミノ変性シリコーン又はハロゲノ変性シリコーンである。
【００１５】
なお、本発明において、水溶性の有機基を有する変性シリコーンを用いる場合は、変性率は２０℃でのイオン交換水１Ｌ当たりの溶解性が１ｇを越えないものが選択される。
【００１６】
本発明のシリコーン化合物（フッ素変性シリコーンを除く）は、ポリスチレンを標準とし、クロロホルムを展開溶媒とした時のゲル浸透型液体クロマトグラフィーによって求められる重量平均分子量が、１千〜１００万のものが好ましく、３千〜５０万のものがより好ましく、５千〜２５万のものが最も好ましい。また、２５℃の粘度が、好ましくは１０〜１０万ｍｍ2／ｓ、より好ましくは５００〜５万ｍｍ2／ｓ、最も好ましくは１千〜４万ｍｍ2／ｓのものである。粘度は、例えばウベローデＵ字型粘度計により測定することができる。
【００１７】
本発明の（ａ）成分は水に不溶であるため、水性媒体中で均一に乳化、分散させる目的で界面活性剤（以下、（ｂ）成分という）を配合することが好ましい。（ｂ）成分としては、アルキルベンゼンスルホン酸又はその塩、アルキル硫酸エステル塩、ポリオキシアルキレンアルキルエーテル硫酸塩、オレフィンスルホン酸塩、アルカンスルホン酸塩、脂肪酸塩等の陰イオン界面活性剤、ポリオキシアルキレンアルキル又はアルケニルエーテル、ポリオキシアルキレンアルキルフェニルエーテル、脂肪酸アルカノールアミド又はそのアルキレンオキシド付加物、蔗糖脂肪酸エステル、アルキルグルコシド等の非イオン界面活性剤、アミンオキシド、スルホベタイン、カルボベタイン等の両性界面活性剤、モノ長鎖アルキル４級アンモニウム塩、ジ長鎖アルキル４級アンモニウム塩、モノ長鎖アルキル３級アミンもしくはその塩、ジ長鎖３級アミンもしくはその塩を挙げることができる。
【００１８】
（ｂ）成分としては、アルキレンオキシド平均付加モル数２〜１００、好ましくは下限が５以上、また上限が５０以下のポリオキシアルキレンアルキル（炭素数８〜２０）又はアルケニル（炭素数８〜２０）エーテル（以下、（ｂ1）成分という）、並びに分子中に４級アンモニウム基及び３級アミノ基の少なくとも１つと、炭素数８〜３６の炭化水素基の少なくとも１つとを有する界面活性剤（以下、（ｂ2）成分という）が好ましく、特に（ｂ2）成分は色彩回復効果を著しく向上させるため最も好ましい。
【００１９】
（ｂ1）成分としては一般式（１）の非イオン界面活性剤が好ましい。
Ｒ1−Ｏ−(Ｒ2Ｏ)p−Ｈ      （１）
〔式中、Ｒ1は、炭素数８〜２２、好ましくは１０〜２０のアルキル基又はアルケニル基であり、Ｒ2は炭素数２又は３のアルキレン基であり、好ましくはエチレン基である。また、ｐは２〜１００、好ましくは５〜８０、特に好ましくは５〜６０の数を示す。〕
一般式（１）の化合物の具体例としては以下の化合物を挙げることができる。
Ｒ3−Ｏ−(Ｃ2Ｈ4Ｏ)r−Ｈ
〔式中、Ｒ3は炭素数１０〜１８のアルキル基であり、ｒは２〜６０、好ましくは５〜４０の数である。〕
Ｒ3−Ｏ−(Ｃ2Ｈ4Ｏ)s(Ｃ3Ｈ6Ｏ)t−Ｈ
〔式中、Ｒ3は上記と同じであり、ｓ及びｔは、それぞれ独立に２〜４０、好ましくは２〜４０の数であり、ｓとｔの合計は５〜６０の数である。エチレンオキシドとプロピレンオキシドはランダム付加でもブロック付加でもよい。〕。
【００２０】
また、（ｂ2）成分としては、下記一般式（２）の化合物、一般式（３）の化合物、一般式（４）の化合物が好ましい。
【００２１】
【化１】
0004467834.tif 000002
【００２２】
〔式中、Ｒ4は炭素数１０〜２０、好ましくは１０〜１８、特に好ましくは１２〜１８のアルキル基又はアルケニル基であり、Ｒ6、Ｒ7は炭素数１〜３のアルキル基もしくはヒドロキシアルキル基又はＲ4−(Ｘ−Ｒ5)n−である。また、Ｒ8は炭素数１〜３のアルキル基又はヒドロキシアルキル基である。Ｘは−ＣＯＯ−、−ＯＣＯ−、−ＣＯＮＲ9−、−ＮＲ9ＣＯ−から選ばれる基であり、Ｒ5は炭素数１〜５、好ましくは１〜３のアルキレン基である。Ｒ9は水素原子又は炭素数１〜３のアルキル基もしくはヒドロキシアルキル基である。ｎは１又は０の数であり、Ｙ-は無機又は有機の陰イオン、好ましくはハロゲンイオン、硫酸イオン、リン酸イオン、炭素数１〜３のアルキル硫酸エステルイオン、炭素数１〜１２の脂肪酸イオン、特に好ましくはハロゲンイオン、炭素数１〜３のアルキル硫酸エステルイオンである。〕
【００２３】
【化２】
0004467834.tif 000003
【００２４】
〔式中、Ｒ10は炭素数１０〜２０、好ましくは１０〜１８、特に好ましくは１２〜１８のアルキル基又はアルケニル基であり、Ｒ12、Ｒ13は炭素数１〜３のアルキル基もしくはヒドロキシアルキル基、もしくはＲ10−(Ｘ−Ｒ11)m−である。Ｘは−ＣＯＯ−、−ＯＣＯ−、−ＣＯＮＲ9−、−ＮＲ9ＣＯ−から選ばれる基であり、Ｒ11は炭素数１〜５、好ましくは１〜３のアルキレン基である。ｍは１又は０の数である。Ｒ9は前述と同一の意味である。〕
【００２５】
【化３】
0004467834.tif 000004
【００２６】
〔式中、Ｒ14、Ｒ15、Ｒ18、Ｒ21、Ｒ22は、それぞれ独立に、水素原子、炭素数１〜５のアルキル基もしくはヒドロキシアルキル基又はＲ23−(Ｗ−Ｒ24)l−であり、Ｒ14、Ｒ15、Ｒ18、Ｒ21、Ｒ22のうち、少なくとも１つはＲ23−(Ｗ−Ｒ24)l−である。ここでＲ23は炭素数１０〜３６のアルキル基であり、Ｒ24は炭素数１〜５のアルキレン基である。Ｗは−ＣＯＯ−、−ＯＣＯ−、−ＣＯＮＲ25−、−ＮＲ25ＣＯ−、−Ｏ−であり、各Ｎ原子に結合しているＲ23−(Ｗ−Ｒ24)l−間のＷ及びＲ24は同一又は異なっていてもよい。また、Ｒ25は水素原子又は炭素数１〜３のアルキル基もしくはヒドロキシアルキル基である。Ｒ16、Ｒ17、Ｒ19、Ｒ20は炭素数１〜５のアルキレン基であり、ｌ、ｍは０、１又は２の数である。Ｙ、Ｚは−ＣＯＯ−、−ＯＣＯ−、−ＣＯＮＲ26−、−ＮＲ26ＣＯ−、−Ｏ−、−ＣＨ(ＯＲ27)−から選ばれる基であり、これらは同一あるいは異なっていてもよい。Ｒ26、Ｒ27は水素原子又は炭素数１〜５のアルキル基あるいはヒドロキシアルキル基である。ｋは平均０〜１０の数である。〕
本発明においては、水性媒体中の（ａ）成分／（ｂ）成分の重量比は、１／２〜１００／１、特に１／１〜１００／１であることが、色彩回復効果の点で好ましい。また、本発明では色彩回復効果を高める上で（ａ）成分と（ｂ2）成分の重量比は、（ａ）／（ｂ2）＝３／１〜１００／１、特に５／１〜５０／１であることが望ましい。更に、本発明では、（ｂ1）成分と（ｂ2）成分とを併用することが色彩回復効果の点で好ましく、その場合、両者の重量比は、（ｂ1）／（ｂ2）＝１／１０〜１０／１、特に１／５〜１０／１が良好である。
【００２７】
（ｂ）成分により（ａ）成分は乳化されるが、その粒子径は０．０１〜５μｍ、更に０．０２〜４μｍ、特に０．０２〜３μｍが好ましい。
【００２８】
本発明では、上記（ａ）、更には（ｂ）成分を水に溶解又は分散させた水性媒体に、衣料を浸漬させる。該水性媒体中の（ａ）成分の濃度は５〜２５００ｐｐｍであり、下限の好ましくは２０ｐｐｍ以上、より好ましくは３０ｐｐｍ以上、最も好ましくは５０ｐｐｍ以上であり、上限の好ましくは８００ｐｐｍ以下、より好ましくは５００ｐｐｍ以下である。また、該水性媒体中の（ｂ）成分の濃度は、１〜５００ｐｐｍ、更に２〜５００ｐｐｍ、特に５〜３００ｐｐｍが好ましい。また、（ｂ）成分として（ｂ2）成分を使用する場合は、該水性媒体中の（ｂ2）成分の濃度は、１〜５００ｐｐｍが好ましく、より好ましい下限は２ｐｐｍ以上、特に５ｐｐｍ以上であり、より好ましい上限は３００ｐｐｍ以下、特に１００ｐｐｍ以下であることが、より効果的に色彩回復効果を得るために望ましい。
【００２９】
さらに、本発明に用いられる水性媒体の２０℃におけるｐＨは５〜１１、更に６〜１０．５、特に６〜９．５が色彩回復効果の面から好ましい。
【００３０】
本発明に用いられる上記水性媒体は、（ａ）成分及び（ｂ）成分以外に市販の弱アルカリ性洗剤や柔軟剤あるいは糊剤等の洗浄剤や繊維処理剤を含有していても差し支えないが、効果的に色彩回復効果を得るためには、これら洗浄剤あるいは繊維処理剤の濃度を９００ｐｐｍ以下、好ましくは７００ｐｐｍ以下、特に好ましくは５００ｐｐｍ以下にすることが望ましい。なお、これら洗浄剤あるいは処理剤中の（ｂ）成分も含めて全（ｂ）成分の濃度が本発明の濃度範囲に入るように調製しなければならない。
【００３１】
本発明では浴比１／２〜１／５００の割合で褪色した衣料を水性媒体に浸漬させる。この浴比において、衣料１に対する水性媒体の量は、好ましくは下限が５以上、特に１０以上であり、上限が好ましくは２００以下、より好ましくは１００以下、特に好ましくは３０以下である。ここで浸漬とは衣料が完全に浸される状態を示し、静置した水性媒体に浸してもよく攪拌しながら浸しても差し支えない。浸漬する時間は１〜１８０分、好ましくは５〜１２０分、特に好ましくは５〜３０分である。また、水性媒体の温度は５〜５０℃、更に１０〜４０℃が好ましい。浸漬後は脱水し、自然乾燥あるいは自動乾燥機を用いても差し支えない。また、乾燥後のアイロン処理を行っても差し支えない。
【００３２】
【実施例】
下記（ａ−１）〜（ｅ−１）成分を用いて表１の水性媒体を調製した。
（ａ−１）：アミノ変性シリコーン（屈折率１．４１、粘度５０ｍｍ2／ｓ、アミノ当量２１００ｇ／ｍｏｌ、東芝シリコーン社製ＴＳＦ４７０６）
（ａ−２）：フッ素変性シリコーン（屈折率１．３８、粘度１００００ｍｍ2／ｓ、東芝シリコーン社製ＦＱＦ５０１）
（ａ’−１）：アルキル・アラルキル変性シリコーン（屈折率１．４７、ジーイー東芝シリコーン社製ＴＳＦ４４２８、粘度１０００ｍｍ2／ｓ）
（ｂ1−１）：ラウリルアルコールにエチレンオキシド３モル、プロピレンオキシド３モル、エチレンオキシド２モルをこの順にブロック状に付加したもの
（ｂ2−１）：Ｎ−ステアロイルアミノプロピル−Ｎ，Ｎ，Ｎ−トリメチルアンモニウムクロリド
（ｂ2−２）：ジ硬化牛脂アルキルジメチルアンモニウムクロリド
（ｃ−１）：エチレングリコール
（ｄ−１）：弱アルカリ性洗剤、平均粒径５００μｍ（粒径１２５μｍ以下の粒子及び粒径１０００μｍ以上の粒子を除去したもの）、見かけ嵩密度７００ｇ／ｃｍ3。組成は、直鎖アルキル（炭素数１２と１３の混合）ベンゼンスルホン酸ナトリウム２２重量％、ラウリル硫酸エステルナトリウム５重量％、ミリスチン酸ナトリウム４重量％、ポリオキシエチレンラウリルエーテル（エチレンオキシド平均付加モル数８）５重量％、１号ケイ酸ナトリウム８重量％、ポリアクリル酸ナトリウム（重量平均分子量１万）５重量％、Ａ型ゼオライト１５重量％、炭酸ナトリウム（ソーダ灰）１５重量％、炭酸カリウム３重量％、プロテアーゼ（ノボノルディスク社製のサビナーゼ１２．０Ｔ  ｔｙｐｅ−Ｗ）０．５重量％、セルラーゼ（花王株式会社製のＫＡＣ５００）０．５重量％、無水硫酸ナトリウム１７重量％（重量％は、揮発分７重量％を除いた洗剤中のもの）である。
【００３３】
＜褪色衣料の調製＞
市販の黒色の木綿ポロシャツ２枚を、上記（ｄ−１）の弱アルカリ性洗剤を用いて洗濯機で洗浄した（東芝製２槽式洗濯機ＶＨ−３６０Ｓ１、洗剤濃度０．０６６７重量％、水道水３０Ｌ使用、水温２０℃、１０分間洗浄、１分間脱水後、３０Ｌの水道水を注水して５分間すすぎを行った）。この操作を５回繰り返した衣料は初期の色合が失われ全体的に白っぽくなっていた。これを褪色衣料として用いた。
【００３４】
＜方法１＞
表１の組成の水性媒体〔（ｄ−１）成分なし〕５Ｌに、上記褪色衣料１枚を浸漬させた（水道水使用、水温２１℃、３０分）。洗濯機脱水槽で２分間脱水し、室内で１２時間乾燥させた。このときの浴比は１／１０である。この衣料と未処理の褪色衣料（対照）とを１０人のパネラー（３０代男性）により蛍光燈下で比較し、下記の基準で判定した。
【００３５】
＜方法２＞
表１の組成の水性媒体〔（ｄ−１）成分あり〕３０Ｌに、上記褪色衣料を洗濯機（東芝製２槽式洗濯機ＶＨ−３６０Ｓ１、水道水使用、水温２０℃、ｐＨ１０．３）で１０分間攪拌洗浄した。このときの浴比は１／２０である。処理液を排出後、衣料を１分間脱水し、５分間の注水すすぎを行い、脱水、自然乾燥させた。この操作を５回行った衣料と未処理の褪色衣料（対照）とを１０人のパネラー（３０代男性）により蛍光燈下で比較し、下記の基準で判定した。
【００３６】
＜方法３＞
洗濯機（東芝製２槽式洗濯機ＶＨ−３６０Ｓ１、水道水使用、水温２０℃）の洗濯槽で調製した表１の水性媒体〔（ｄ−１）なし〕３０Ｌに、上記褪色衣料を入れて１０分間強攪拌洗浄した。このときの浴比は１／１００である。処理液を排出後、衣料を洗濯機脱水槽で３分間脱水し、室内で１２時間乾燥させた。この衣料と未処理の褪色衣料（対照）とを１０人のパネラー（３０代男性）により蛍光燈下で比較し、下記の基準で判定した。
【００３７】
＜評価基準＞
０；新品衣料に近い色合
１：対照より色が鮮やかに見える
２：対照と同等である
３：対照より色が褪せて見える。
【００３８】
平均点が０．８未満を○、０．８以上〜１．２未満を□、１．２以上〜１．５未満を△、１．５以上を×として表１に示した。
【００３９】
【表１】
0004467834.tif 000005
【００４０】
（注）ｐＨは、０．１Ｎ塩酸水溶液又は０．１Ｎ水酸化ナトリウム水溶液で調整した。また、（ａ−１）、（ａ−２）、（ａ’−１）成分は、何れも平均粒径０．２５μｍの粒子として分散している。また、比較品１は、便宜的に（ａ’−１）との重量比を（ａ）／（ｂ）として示した。